(57)【要約】【課題】光変調器で形成される画像を投射レンズにより拡大投射表示する投射型表示装置において、１つの冷却ファンで各部分を効率よく冷却することができ、冷却ファンの回転速度を低減し静音性を向上させることのできる投射型表示装置を提供することを目的とする。【解決手段】光源であるランプ５０は、光変調器である液晶パネル５５を照明する。絞り機構１０は、ランプ５０から液晶パネル５５への光量を調節し、その際に液晶パネル５５以外の絞り機構１０や反射光の照射部位１７は発熱する。吸気ファン２４は装置外から空気を吸入し、装置内部に冷却風を導入する。通風路２は吸気ファン２４から液晶パネル５５を含む冷却対象物に冷却風を導風する。風量分配機構１は通風路２内に設けられ、絞り機構１０に連動して動作し、液晶パネル５５とそれ以外の冷却対象物に送る冷却風の割合を調整する。【選択図】図３
2010054766.tif 000002
【特許請求の範囲】
【請求項１】
光変調器で形成される画像を投射レンズにより拡大投射表示する投射型表示装置であって、
前記光変調器を照明する光源と、
前記光源と前記光変調器との間に配置され、前記光源から前記光変調器への光量を調節する絞り機構と、
装置外から空気を吸入し、装置内部に冷却風を導入するファンと、
前記ファンから前記光変調器と前記光変調器を除く冷却対象物に冷却風を導風する通風路と、
前記通風路内に設けられ、前記光変調器と前記冷却対象物に送る冷却風の割合を調整する風量分配機構と、
を含み、前記風量分配機構が前記絞り機構に連動して動作する投射型表示装置。
【請求項２】
前記絞り機構が前記光源からの光量の一部を遮光することにより、前記光変調器への光量を小さくする、請求項１記載の投射型表示装置。
【請求項３】
前記絞り機構により前記光変調器への光量が小さくなっている間、前記光変調器への冷却風の割合を小さくし、前記光変調器を除く前記冷却対象物への冷却風の割合を大きくする前記風量分配機構を含む請求項２記載の投射型表示装置。
【請求項４】
前記風量分配機構が前記通風路内の冷却風の方向と垂直な面の面積比を変化させることを特徴とする請求項３記載の投射型表示装置。
【請求項５】
前記風量分配機構が前記通風路内の冷却風の方向を変化させることを特徴とする請求項３記載の投射型表示装置。
【請求項６】
前記絞り機構による前記光変調器への光量の絞り量と前記風量分配機構による冷却風の減少量が連動することを特徴とする請求項４または５に記載の投射型表示装置。
【請求項７】
前記光変調器を除く前記冷却対象物は、前記絞り機構、または前記絞り機構からの光源の反射光の照射部位、または前記光源であることを特徴とする請求項２乃至６のいずれかに記載の投射型表示装置。
【発明の詳細な説明】
【技術分野】
【０００１】
本発明は冷却機構を備え、投射照度が調節可能な投射型表示装置に関する。
【背景技術】
【０００２】
近年、ＤＶＤ（Ｄｉｇｉｔａｌ  Ｖｅｒｓａｔｉｌｅ  Ｄｉｓｋ）の普及やデジタルハイビジョン放送の開始などにより、家庭で高画質な映像コンテンツを手軽に楽しめる環境が整ってきた。このことにより、大画面ディスプレイの需要が急増している。特に、液晶プロジェクターに代表される投射型表示装置は、液晶ディスプレイ（ＬＣＤ）、プラズマディスプレイパネル（ＰＤＰ） など他の方式に比べて安価で、より大きな画面サイズで、ユーザーは映像を楽しむことができる。したがって、この投射型表示装置は、ホームシアター用として普及しつつある。
【０００３】
投射型表示装置の高画質化の取り組みとして、光源と光変調器との間に絞り機構を設け、映像の明るさに応じて光変調器への光量を調節することで高いダイナミックレンジを実現する方法が考案されている（例えば、特許文献１参照）。
【０００４】
一方で、投射型表示装置は特に光源であるランプからの発熱が大きく、その影響で装置内部の光変調器や光学系が高温にさらされるため、投射型表示装置の多くは冷却ファンによる強制空冷がなされている。しかしながら、冷却ファンは回転時の騒音が大きく、静音性が大きな課題となっている。
【０００５】
装置の静音化を図る最も有力な手段は、冷却ファンの回転数を小さくすることである。そのためには、より少ない冷却風で装置内部を効率的に冷却する設計が必要となる。
【０００６】
図６は、従来の冷却ファンを備えた液晶プロジェクターを上方から見たときのレイアウトの一例を示す概略構成図である。
【０００７】
図において、光源であるランプ１５０は電源部１２０から電力を供給され、光を発する。この際、不要光１２１がランプ１５０周辺に発せられるが、装置外もしくは耐熱温度の低い部品群１２２に光が照射されないよう、その大部分は遮光部品１２３により遮られる。
【０００８】
ランプ１５０から発せられた光は、第１レンズアレイ１５１によって複数の部分光束に分割され、絞り機構１１０を透過した後、第２レンズアレイ１５２を介して偏光変換素子１５３に入射する。偏光変換素子１５３によって各部分光束は偏光方向を揃えられて直線偏光となり、重畳レンズ１５４に入射する。
【０００９】
ダイクロイックミラー１５６Ｒは、赤色成分の光“Ｒ”のみを反射し、その他の光を透過する。ダイクロイックミラー１５６Ｇは、緑色成分の光“Ｇ”のみを反射し、その他の光を透過する。
【００１０】
重畳レンズ１５４から出た光は、ダイクロイックミラー１５６Ｒで赤色の光“Ｒ”が反射分離される。ダイクロイックミラー１５６Ｒを透過した光は、ダイクロイックミラー１５６Ｇで緑色の光“Ｇ”が反射され分離されて、青色の光“Ｂ” が透過する。
【００１１】
赤色の光“Ｒ”は、全反射ミラー１５７Ｒで反射した後、フィールドレンズ１５９Ｒを透過して、液晶パネル１５５Ｒに到達する。
【００１２】
緑色の光“Ｇ” は、フィールドレンズ１５９Ｇを透過して液晶パネル１５５Ｇに到達する。
【００１３】
青色の光“Ｂ” は、リレーレンズ１５８Ｂａを透過し， 全反射ミラー１５７Ｂａで反射されて、さらにリレーレンズ１５８Ｂｂを透過する。その後、青色の光“Ｂ” は、全反射ミラー１５７Ｂｂで反射されて、フィールドレンズ１５９Ｂを透過し、液晶パネル１５５Ｂに到達する。ここで、液晶パネル１５５Ｒ、１５５Ｇ、１５５Ｂは光変調器の一種として働く。
【００１４】
液晶パネル１５５Ｒ 、１５５Ｇ、１５５Ｂを透過した３色の光は、クロスプリズム１６０で合成され、投射レンズ１６１を介して投射される。矢印１６２は、合成された光の投射される方向を示す。
【００１５】
吸気ファン１２４は装置外郭１２５に設けられた吸気口１２６から空気１２７を吸入し、装置内に冷却風１２８を導入する。
【００１６】
冷却風１２８は液晶パネル１５５Ｒ、１５５Ｇ、１５５Ｂ（図には１５５Ｇへの流れのみ示す）、電源部１２０、ランプ１５０、ランプ保持部品１２９、遮光部品１２３などを冷却した後、排気ファン１３０によって装置外郭１２５に設けられた排気口１３１を通って装置外に排出される。矢印１３２は排気熱の流れを示す。
【００１７】
絞り機構１１０は、第１レンズアレイ１５１と第２レンズアレイ１５２の間に配置されている。ランプ１５０から発せられた光の進行方向は、Ｚ軸に沿っている。絞り機構１１０の左右方向はＸ軸に沿っている。
【００１８】
図７は絞り機構１１０を示す斜視図である。
【００１９】
絞り機構１１０は、絞り羽１１１ａ、１１１ｂ、ギア１１２ａ、１１２ｂから構成されており、モーター１１５などの駆動手段（図示せず）によってそれぞれ、矢印１１８ａ、１１８ｂに示すように上下対称に揺動し、連続的に開口部１１３の面積を変化させる。
【００２０】
図８に、ランプ１５０、絞り機構１１０、液晶パネル１５５を一次元上に配置した側面図を示す。なお、分かりやすくするために、第１レンズアレイ、第２レンズアレイ、偏光変換素子、重畳レンズ、ダイクロイックミラー、全反射ミラー、リレーレンズ、フィールドレンズは省略している。
【００２１】
図８（ａ）は絞りが開放された状態、図８（ｂ）は絞りが絞られた状態を示す。
【００２２】
ランプ１５０から発せられた光束は、開口部１１３を通過してパネル１５５に到達する。吸気ファン１２４から送出された冷却風１２８は、パネル１５５、絞り機構１１０、ランプ１５０の周辺へ流れる。
【００２３】
明るさ検出装置１１４は、投射する映像の明るさを検出する。明るさ検出装置１１４は、入力された映像信号からフレームの輝度情報を検出し、そのフレームの輝度の平均値を演算して、モーター１１５の回転角度の制御信号をモーターコントローラー１１６に送出する。
【００２４】
モーターコントローラー１１６は、受けた制御信号に基づいて、モーター１１５を駆動し、絞り羽１１１ａ、１１１ｂを所定の位置へ移動する。明るい映像を投射するときは、開口部１１３の面積を大きく、暗い映像を投射するときは開口部１１３の面積が小さくなるように、絞り羽１１１ａ、１１１ｂは、モーター１１５で駆動される。これによって、大きなダイナミックレンジが実現される。
【特許文献１】国際公開第２００５／０２６８３５号パンフレット
【発明の開示】
【発明が解決しようとする課題】
【００２５】
上記従来の構成では、絞り機構１１０を駆動するモーター１１５に使用されるマグネットは、高温では減磁して性能が低下する。そのため、モーターの安定した駆動性能を得るためには、動作温度を低くする必要がある。
【００２６】
また、絞りが開放された状態の時は、液晶パネル１５５に到達する光量が増え、従って液晶パネル１５５の温度上昇は大きくなる。
【００２７】
絞りが絞られた状態の時は、液晶パネル１５５に到達する光量が少なくなり、従って液晶パネル１５５の温度上昇は小さくなる。
【００２８】
一方で、絞り羽１１１ａ、１１１ｂは光を反射および吸収しているため、絞り機構１１０、絞り羽１１１ａ、１１１ｂによる反射光の照射部位１１７の温度は上昇する。絞り羽１１１ａ、１１１ｂの角度により、ランプ保持部品（図示せず）、遮光部品（図示せず）が反射光に照射されることもあり、絞り羽１１１ａ、１１１ｂが光の進行方向と垂直近くになるまで絞られると、反射光はランプ１５０を照射する。
【００２９】
図９に、絞り量と液晶パネル１５５への冷却風の風量１０５、絞り機構１１０への冷却風の風量１０６、反射光の照射部位１１７への冷却風の風量１０７、ランプ１５０への冷却風の風量１０８のそれぞれの割合を示す。
【００３０】
図に示すように、従来の投射型表示装置では、絞り量に関係なく、各部位に送られる風量は一定である。
【００３１】
図１０に絞り量と各部分の温度の関係を示す。図１０（ａ）は絞り量と液晶パネル１５５の温度の関係を示すグラフである。図に示すように、絞りが開放されている時に液晶パネル１５５の温度は最大となる。装置の騒音を低減するためには、液晶パネル１５５の温度が動作保証温度１４０を超えない範囲で冷却風を少なくする必要がある。
【００３２】
しかし、絞り量が増大するに従い、液晶パネル１５５に到達する光量は減少するため、液晶パネル１５５の温度は動作保証温度１４０から過剰に冷却された状態にある。
【００３３】
図１０（ｂ）は絞り量と絞り機構１１０の温度の関係を示すグラフである。図に示すように、絞り量が増大するに従い、絞り機構１１０が受ける光量は増大するため、絞り量が最大の時に絞り機構１１０の温度は最大となる。つまり、絞り機構１１０は液晶パネル１５５とは逆に、絞り量が減少するに従い、動作保証温度１４１から過剰に冷却された状態にある。
【００３４】
図１０（ｃ）は絞り量と絞りによる反射光の照射部位１１７の温度の関係を示すグラフである。図に示すように、照射部位１１７は特定の絞り量の時に温度が最大となり、それ以外の時は動作保証温度１４２から過剰に冷却された状態にある。
【００３５】
図１０（ｄ）は絞り量とランプ１５０の温度の関係を示す。これは図１０（ｃ）を横軸方向にシフトしたものと同義であり、絞り量が最大の時に温度が最大となるが、それ以外の時は動作保証温度１４３から過剰に冷却された状態にある。
【００３６】
以上に説明した通り、従来の投射型表示装置では、絞り機構の状態に関らず、同一の冷却状態を保っているため、絞りの状態により、過剰に冷却された状態にある部位が存在していた。
【００３７】
しかしながら、装置の静音性を向上させるためには冷却ファンの回転速度を低減させる必要があるため、冷却は必要最小限にすべきであり、過剰な冷却状態は好ましくない。
【００３８】
このため、液晶パネル、絞り機構、反射光の照射部位、ランプなど、部位により異なるファンで冷却し、絞りの状態によって各ファンの回転数を変化させる方法もあるが、この場合、複数のファンを必要とするだけでなく、各ファンは絞りの状態によって回転数が急速に変化することになる。ファンの回転数を急速に変化させることは騒音の変動を伴い、耳障りな感覚をもたらす。
【００３９】
動画品質を損なうことなく高いダイナミックレンジを達成するために、絞り機構には高い応答速度を実現するボイスコイルモーターが使われることもあるため、この方法では絞り機構の状態変化に追従してファンの回転数を変化させ、かつ静音性を向上させることは困難である。
【００４０】
本発明は、上記従来の課題を解決するもので、１つの冷却ファンで各部分を効率よく冷却することができ、冷却ファンの回転速度を低減し静音性を向上させることのできる投射型表示装置を提供することを目的とする。
【課題を解決するための手段】
【００４１】
上記従来の課題を解決するために、本発明の投射型表示装置は、光変調器で形成される画像を投射レンズにより拡大投射表示する投射型表示装置であって、前記光変調器を照明する光源と、前記光源と前記光変調器との間に配置され、前記光源から前記光変調器への光量を調節する絞り機構と、装置外から空気を吸入し、装置内部に冷却風を導入するファンと、前記ファンから前記光変調器を含む冷却対象物に冷却風を導風する通風路と、
前記通風路内に設けられ、前記光変調器と前記光変調器を除く冷却対象物に送る冷却風の割合を調整する風量分配機構と、を含み、前記風量分配機構が前記絞り機構に連動して動作するようにしたものである。
【００４２】
このように、絞り機構に連動して風量分配機構が、光変調器とそれ以外の冷却対象物に送る冷却風の割合を調整することによって、ファンの回転速度を変えることなく、しかも１つのファンで効率よく冷却することができる。
【発明の効果】
【００４３】
本発明においては弁構造の単純な風量分配機構を用いることで、光量調節機構を持つ投射型表示装置の内部を低コストで効率的に冷却することができる。したがって、冷却ファンの風量を低減させることができ、静音性を向上することができる。さらに、ファンの回転数の変化も少なく、耳障りな感覚をもたらすこともない。
【発明を実施するための最良の形態】
【００４４】
以下、図面を用いて本発明の実施の形態について説明する。
【００４５】
（実施の形態１）
図１は、本発明の実施の形態における投射型表示装置である液晶プロジェクターを上方から見たときのレイアウトを示す概略構成図である。
【００４６】
図１において、光源であるランプ５０は電源部２０から電力を供給され、光を発する。この際、不要光２１がランプ周辺に発せられるが、装置外もしくは耐熱温度の低い部品群２２に光が照射されないよう、その大部分は遮光部品２３により遮られる。
【００４７】
ランプ５０から発せられた光は、第１レンズアレイ５１によって複数の部分光束に分割され、絞り機構１０を透過した後、第２レンズアレイ５２を介して偏光変換素子５３に入射する。偏光変換素子５３によって各部分光束は偏光方向を揃えられて直線偏光となり、重畳レンズ５４に入射する。
【００４８】
ダイクロイックミラー５６Ｒは、赤色成分の光“Ｒ”のみを反射し、その他の光を透過する。ダイクロイックミラー５６Ｇは、緑色成分の光“Ｇ”のみを反射し、その他の光を透過する。
【００４９】
重畳レンズ５４から出た光は、ダイクロイックミラー５６Ｒで赤色の光“Ｒ” が反射分離される。ダイクロイックミラー５６Ｒを透過した光は、ダイクロイックミラー５６Ｇで緑色の光“Ｇ”が反射されて分離されて、青色の光“Ｂ”が透過する。
【００５０】
赤色の光“Ｒ”は、全反射ミラー５７Ｒで反射した後、フィールドレンズ５９Ｒを透過して、液晶パネル５５Ｒに到達する。
【００５１】
緑色の光“Ｇ”は、フィールドレンズ５９Ｇを透過して液晶パネル５５Ｇに到達する。
【００５２】
青色の光“Ｂ”は、リレーレンズ５８Ｂａを透過し， 全反射ミラー５７Ｂａで反射されて、さらにリレーレンズ５８Ｂｂを透過する。その後、青色の光“Ｂ” は、全反射ミラー５７Ｂｂで反射されて、フィールドレンズ５９Ｂを透過し、液晶パネル５５Ｂに到達する。ここで、液晶パネル５５Ｒ、５５Ｇ、５５Ｂは光変調器の一種として働く。
【００５３】
液晶パネル５５Ｒ 、５５Ｇ、５５Ｂを透過した３色の光は、クロスプリズム６０で合成され、投射レンズ６１を介して投射される。矢印６２は、合成された光の投射される方向を示す。
【００５４】
吸気ファン２４は装置外郭２５に設けられた吸気口２６から空気２７を吸入し、装置内に冷却風２８を導入する。
【００５５】
冷却風２８は液晶パネル５５Ｒ、５５Ｇ、５５Ｂ（図には５５Ｇへの流れのみ示す）、電源部２０、ランプ５０、ランプ保持部品２９、遮光部品２３などを冷却した後、排気ファン３０によって装置外郭２５に設けられた排気口３１を通って装置外に排出される。矢印３２は排気熱の流れを示す。
【００５６】
絞り機構１０は、第１レンズアレイ５１と第２レンズアレイ５２の間に配置されている。ランプ５０から発せられた光の進行方向は、Ｚ軸に沿っている。絞り機構１０の左右方向はＸ軸に沿っている。
【００５７】
図２は絞り機構１０を示す斜視図である。
【００５８】
絞り機構１０は、絞り羽１１ａ、１１ｂ、ギア１２ａ、１２ｂから構成されており、モーターなどの駆動手段（図示せず）によってそれぞれ、矢印１８ａ、１８ｂで示すように上下対照に揺動し、連続的に開口部１３の面積を変化させる。
【００５９】
図３にランプ５０、絞り機構１０、液晶パネル５５を一次元上に配置した側面図を示す。尚、分かりやすくするために、第１レンズアレイ、第２レンズアレイ、偏光変換素子、重畳レンズ、ダイクロイックミラー、全反射ミラー、リレーレンズ、フィールドレンズは省略している。
【００６０】
図３（ａ）は絞りが開放された状態、図３（ｂ）は絞りが絞られた状態を示す。
【００６１】
図３において、ランプ５０から発せられた光束は、開口部１３を通過してパネル５５に到達する。
【００６２】
吸気ファン２４から送出された冷却風は通風路２を通って液晶パネル５５、絞り機構１０、ランプ５０の周辺へ流れる。矢印４は弁３の回動する方向を示す。
【００６３】
弁３は回動することによって、通風路２内における液晶パネル５５への冷却風の方向と垂直な面の面積１８と絞り機構１０、反射光の照射部位１７、ランプ５０への冷却風の方向と垂直な面の面積１９の比率を変化させる。
【００６４】
明るさ検出装置１４は、投射する映像の明るさを検出する。明るさ検出装置１４は、入力された映像信号からフレームの輝度情報を検出し、そのフレームの輝度の平均値を演算して、モーター１５の回転角度の制御信号をモーターコントローラー１６に送出する。
【００６５】
モーターコントローラー１６は、受けた制御信号に基づいて、モーター１５を駆動し、絞り羽１１ａ、１１ｂを所定の位置へ移動する。明るい映像を投射するときは、開口部１３の面積が大きく、暗い映像を投射するときは開口部１３の面積が小さくなるように、絞り羽１１ａ、１１ｂは、モーター１５で駆動される。つまり、映像の明るさに合わせて開口部１３を通過する光量が制御される。このことで大きなダイナミックレンジが実現される。
【００６６】
絞り機構１０を駆動するモーター１５に使用されるマグネットは、高温では減磁して性能が低下する。そのため、モーター１５の安定した駆動性能を得るためには、動作温度を低くする必要がある。
【００６７】
絞りが開放された状態の時は、液晶パネル５５に到達する光量および液晶パネル５５の温度上昇は大きくなる。また、絞り機構１０の動きに連動して風量分配機構１の弁３は通風路２内における液晶パネル５５への冷却風の方向と垂直な面の面積１８の比率を大きくし、絞り機構１０、反射光の照射部位１７、ランプ５０への冷却風の方向と垂直な面の面積１９の比率を小さくする。
【００６８】
絞りが絞られた状態の時は、液晶パネル５５に到達する光量および液晶パネル５５の温度上昇は小さくなる。一方で、絞り羽１１ａ、１１ｂは光を反射および吸収しているため、絞り機構１０、絞り羽１１ａ、１１ｂによる反射光の照射部位１７の温度は上昇する。
【００６９】
絞り羽１１ａ、１１ｂの角度により、ランプ保持部品（図示せず）、遮光部品（図示せず）が反射光に照射されることもあり、絞り羽１１ａ、１１ｂが光の進行方向と垂直近くになるまで絞られると、反射光はランプ５０を照射する。
【００７０】
また、絞り機構１０の動きに連動して風量分配機構１の弁３は通風路２内における液晶パネル５５への冷却風の方向と垂直な面の面積１８の比率を小さくし、絞り機構１０、反射光の照射部位１７、ランプ５０への冷却風の方向と垂直な面の面積１９の比率を大きくする。
【００７１】
図４のグラフに絞り量と液晶パネル５５への冷却風の風量５、絞り機構１０への冷却風の風量６、反射光の照射部位１７への冷却風の風量７、ランプ５０への冷却風の風量８の関係を示す。
【００７２】
絞り量が増大するに従い、液晶パネル５５への風量が小さくなり、その分が、絞り機構１０、反射光の照射部位１７、ランプ５０への風量となる。
【００７３】
図５は絞り量と装置内の各部位の温度との関係を示すグラフである。
【００７４】
図５（ａ）に絞り量と液晶パネル５５の温度の関係を示す。絞りが開放されている時、液晶パネル５５に到達する光量は最大となり、絞り量の増大に従い減少するが、同時に冷却風の風量が減少することで、動作保証温度４０からの過剰な冷却状態を避けられる。最大に絞られた時は液晶パネル５５に光が到達しないので、冷却風が送られなくても液晶パネル５５の温度は上昇しない。
【００７５】
図５（ｂ）に絞り量と絞り機構１０の温度の関係を示す。絞り量が最大の時、絞り機構１０が吸収する光量は最大となり、絞り量の減少に従い、減少するが、同時に冷却風の風量が減少することで、動作保証温度４１からの過剰な冷却状態を避けられる。
【００７６】
図５（ｃ）に絞り量と絞りによる反射光の照射部位１７の温度の関係を示す。照射部位１７は特定の絞り量の時のみ絞り羽１１ａ、１１ｂからの反射光を受けるが、風量分配機構１により分配された冷却風によって冷却される。それより絞り量が小さい時には保証温度４２からの過剰な冷却は抑えられるが、大きい時にはさらに過剰な冷却状態となる。
【００７７】
反射光の照射部位１７は絞り羽１１ａ、１１ｂの角度によって移動するので、常に反射光の照射部位に送風するように、絞り機構１０と連動して冷却風の方向を変える機構を設けると、過剰な冷却は抑えられ、さらに冷却効率が向上する。
【００７８】
図５（ｄ）に絞り量とランプ５０の温度の関係を示す。これは図５（ｃ）を横軸方向にシフトしたものと同義であり、ランプ５０は絞り量が最大、つまり絞り羽１１ａ、１１ｂの角度が光の進行方向に垂直に近くなるまで絞られた時に反射光を受けるが、風量分配機構１により分配された冷却風によって冷却される。絞り量が減少すると、反射光は受けなくなるが、同時に冷却風の風量が減少することで、動作保証温度４３からの過剰な冷却状態は避けられる。
【００７９】
このように、風量分配機構１を絞り機構１０と連動して駆動させ、冷却する必要性の小さい部位への過剰な冷却風を他の部位の冷却風に流用することで、冷却ファン２４に必要とされる総風量を小さくすることができる。
【００８０】
これにより冷却ファン２４の回転数を小さくすることが可能となり、投射型表示装置は静音化を図ることができる。絞り機構１０の動作に追従して冷却ファン２４の回転数を変化させることがないため、騒音の変動も生じない。
【００８１】
また、安価な冷却ファンでも十分な冷却効果が得られるようになるため、低コスト化を図ることもできる。
【００８２】
本発明の実施の形態において液晶プロジェクターを用いて説明した。しかし、光量調節機構を採用した投射型表示装置であれば、マイクロミラーを使用したプロジェクターであっても、本発明が適用できる。
【産業上の利用可能性】
【００８３】
本発明においては弁構造の単純な風量分配機構を用いることで、光量調節機構を持つ投射型表示装置の内部を低コストで効率的に冷却することができる。さらに、本発明の投射型表示装置は冷却ファンの風量を低減することで静音性を向上することができる。したがって、本発明の投射型表示装置は低騒音の投射型表示装置として有用である。
【図面の簡単な説明】
【００８４】
【図１】本発明の実施の形態における液晶プロジェクターのレイアウトを示す概略構成図
【図２】本発明の実施の形態における絞り機構を示す斜視図
【図３】（ａ）本発明の実施の形態における風量分配機構の、絞りが開放された状態を示す側面図、（ｂ）同絞りが絞られた状態を示す側面図
【図４】本発明の実施の形態における絞り量と各部位への風量の関係を示すグラフ
【図５】（ａ）本発明の実施の形態における絞り量と液晶パネルの温度の関係を示すグラフ、（ｂ）同絞り量と絞り機構の温度の関係を示すグラフ、（ｃ）同絞り量と反射光の照射部位の温度の関係を示すグラフ、（ｄ）同絞り量とランプの温度の関係を示すグラフ
【図６】従来の液晶プロジェクターのレイアウトを示す概略構成図
【図７】従来の液晶プロジェクターの絞り機構を示す斜視図
【図８】（ａ）従来の液晶プロジェクターの冷却構造の、絞りが開放された状態を示す側面図、（ｂ）同絞りが絞られた状態を示す側面図
【図９】従来の液晶プロジェクターの絞り量と各部位への風量の関係を示すグラフ
【図１０】（ａ）従来の液晶プロジェクターの絞り量と液晶パネルの温度の関係を示すグラフ、（ｂ）同絞り量と絞り機構の温度の関係を示すグラフ、（ｃ）同絞り量と反射光の照射部位の温度の関係を示すグラフ、（ｄ）同絞り量とランプの温度の関係を示すグラフ
【符号の説明】
【００８５】
１  風量分配機構
２  通風路
３  弁
４  弁の回動方向
５  液晶パネルへの冷却風の風量
６  絞り機構への冷却風の風量
７  絞り羽の反射光の照射部位への冷却風の風量
８  ランプへの冷却風の風量
１０  絞り機構
１１ａ、１１ｂ  絞り羽
１２ａ、１２ｂ  ギア
１４  明るさ検出装置
１５  モーター
１６  モーターコントローラー
１７  絞り羽の反射光の照射部位
１８  通風路における液晶パネルへの冷却風の方向と垂直な面の面積
１９  通風路における絞り機構への冷却風の方向と垂直な面の面積
２０  電源部
２１  不要光
２２  耐熱温度の低い部品群
２３  遮光部品
２４  吸気ファン
２５  装置外郭
２６  吸気口
２７  空気の流れ
２８  冷却風
２９ ランプ保持部品
３０  排気ファン
３１  排気口
３２  排気熱の流れ
４０  液晶パネルの動作保証温度
４１  絞り機構の動作保証温度
４２  絞り羽の反射光の保証温度
４３  ランプの動作保証温度
５０  ランプ
５１  第１レンズアレイ
５２  第２レンズアレイ
５３  偏光変換素子
５４  重畳レンズ
５５、５５Ｒ、５５Ｇ、５５Ｂ  液晶パネル
５６Ｒ、５６Ｇ  ダイクロイックミラー
５７Ｒ、５７Ｂａ、５７Ｂｂ  全反射ミラー
５８Ｂａ、５８Ｂｂ  リレーレンズ
５９Ｒ、５９Ｇ、５９Ｂ  フィールドレンズ
６０  クロスプリズム
６１  投射レンズ
６２  合成された光の投射される方向
【図１】
2010054766.tif 000003
【図２】
2010054766.tif 000004
【図３】
2010054766.tif 000005
【図４】
2010054766.tif 000006
【図５】
2010054766.tif 000007
【図６】
2010054766.tif 000008
【図７】
2010054766.tif 000009
【図８】
2010054766.tif 000010
【図９】
2010054766.tif 000011
【図１０】
2010054766.tif 000012